(57)【特許請求の範囲】
【請求項１】
外箱(14)と該外箱(14)の内部に所要空間を設けて配設される内箱(16)との間に断熱材(18)を充填して形成されたケース本体(20)を有するショーケース(12)を、冷凍機構を備えた冷蔵庫本体(13)の天板(11)上面に設置した冷蔵庫において、
前記ケース本体(20)の長手方向の両側部に、該側部を被覆する板状のサイドカバー(24,24)を当接状態で固定し、
前記各サイドカバー(24)の外周縁に、後面部から上端部および前面側に亘って前記ショーケース(12)側へ延出して該ショーケース(12)の側部における前後および上部に当接する掛止縁部(26)を形成し、
前記各サイドカバー(24)の下端部に、前記冷蔵庫本体(13)の天板(11)上面から所要長さだけ下方に延出する接続手段(41,42)を設け、該接続手段(41,42)を介してショーケース(12)を冷蔵庫本体(13)に接続するよう構成した
ことを特徴とする冷蔵庫。
【請求項２】
前記接続手段(41,42)は、下端辺が前記天板(11)の下端部に臨む位置まで延出している請求項１記載の冷蔵庫。
【請求項３】
前記接続手段は、前記サイドカバー(24)に一体的に形成された延出部(41)であり、該サイドカバー(24)の後面部に位置する前記掛止縁部(26)は、該延出部(41)の下端まで延在するよう形成され、該掛止縁部(26)における延出部(41)に対応する部位が、前記冷蔵庫本体(13)の後端部に当接する位置決め片(26a)として機能する請求項１または２記載の冷蔵庫。
【請求項４】
前記ケース本体(20)の上部にスライド扉(22)が配設されると共に、該ケース本体(20)の長手方向両端部の上面にブラケット(28,28)が設けられ、該スライド扉(22)の側部開口を覆う断熱部材(38)を該ブラケット(28)を介してサイドカバー(24)に配設した請求項３記載の冷蔵庫。
【発明の詳細な説明】
【０００１】
【発明の属する技術分野】
この発明は冷蔵庫に関し、更に詳細には、冷蔵庫本体の天板上面に、食材等の被保存物を収容するショーケースを配置した冷蔵庫に関するものである。
【０００２】
【従来の技術】
飲食店の厨房などでは、上部に天板を配設したテーブル型の横型冷蔵庫が一般的に使用されている。この横型冷蔵庫の本体は、外箱と該外箱の内部に所要空間を設けて配設される内箱とからなり、両箱体間の空間部に断熱材を充填することで断熱箱体として構成されたものであって、その前面側に開設された開口部には、被保存物を出入れする際に開閉される断熱扉が回動可能に配設されている。また冷蔵庫本体の内部には、圧縮機や凝縮器等からなる冷凍機構を収納した機械室が画成され、電源の投入によって該冷凍機構が起動することにより、冷気が内箱内に画成された冷蔵室を循環して冷却するようになっている。このように構成された横型冷蔵庫には、天板上面に所謂ショーケースを配設したものがある。ショーケース自体は、冷蔵庫本体と同様に、外箱と該外箱の内部に所要の空間を設けて配設される内箱と、両箱体の間に充填される断熱材とで構成されており、少なくともその上面に開設した被保存物の出入れ用の開口部に、該開口部を開閉するガラス扉がショーケースの長手方向に沿ってスライド可能に配設されている。
【０００３】
また前記ショーケースには、その底面部の所要位置に該ケースの内部空間と連通する複数の開口部が開設されると共に、前記冷蔵庫本体の天板に、ショーケースの各開口部と対応する位置に開口部が夫々開設されており、ショーケースは、その開口部を冷蔵庫本体の開口部に整合させた状態で天板上に位置決め設置される。すなわち、前記冷蔵室内を循環する冷気の一部をショーケース内に導入することで、該ケース内を冷却するよう構成されている。
【０００４】
【発明が解決しようとする課題】
前記ショーケースは、その底面部に設けた前記開口部を冷蔵庫本体の天板に設けた前記開口部に整合させた状態で、両開口部を締結部材等で支持固定することにより接続される。また、ショーケースの下端外周縁部と天板との間の継ぎ目位置にシリコンコーキングが施され、冷蔵庫本体の天板上で調理等の作業をする際に使用する水が、ケースと天板との僅かな間隙に浸入するのを防止するようになっている。しかしショーケースと冷蔵庫本体との接続は、前述したように開口部を相互に支持固定するだけの構造であるため、両者間の接続強度が充分に確保されているとは云えず、冷蔵庫を移動する場合や例えば地震等の際に冷蔵庫本体が振動すると、該本体に対してショーケースが容易にズレてしまう。この結果、前記シリコンコーキングが破れてしまい、調理作業等に使用する水が、その破れた部位からケースと天板との僅かな間隙に浸入して底面部に滞留することで腐食を招来してしまう危惧がある。またこの腐食現象に伴って雑菌が繁殖することで、衛生面での問題も発生する。
【０００５】
【発明の目的】
本発明は、前述した従来の技術に内在している前記課題に鑑み、これを好適に解決するべく提案されたものであって、ショーケースと冷蔵庫本体との接続強度を向上し、衛生的で耐久性を向上し得る冷蔵庫を提供することを目的とする。
【０００６】
【課題を解決するための手段】
前記課題を克服し、所期の目的を好適に達成するため、本発明に係る冷蔵庫は、
外箱と該外箱の内部に所要空間を設けて配設される内箱との間に断熱材を充填して形成されたケース本体を有するショーケースを、冷凍機構を備えた冷蔵庫本体の天板上面に設置した冷蔵庫において、
前記ケース本体の長手方向の両側部に、該側部を被覆する板状のサイドカバーを当接状態で固定し、
前記各サイドカバーの外周縁に、後面部から上端部および前面側に亘って前記ショーケース側へ延出して該ショーケースの側部における前後および上部に当接する掛止縁部を形成し、
前記各サイドカバーの下端部に、前記冷蔵庫本体の天板上面から所要長さだけ下方に延出する接続手段を設け、該接続手段を介してショーケースを冷蔵庫本体に接続するよう構成したことを特徴とする。
【０００７】
【発明の実施の形態】
次に、本発明に係る冷蔵庫につき、好適な実施例を挙げて、添付図面を参照しながら以下説明する。図１および図２に示すように、横型の冷蔵庫１０における断熱構造の本体(冷蔵庫本体)１３の上部全面に、調理台としても使用される天板１１が配設され、該天板１１上面の後部側にショーケース１２が設置されている。なお冷蔵庫本体１３の構成自体は、従来の技術で説明したものと同様である。前記ショーケース１２は、その長手方向に沿った略全体に、上方に開口する所要深さの収容部１２ａが設けられると共に、上面が前方に若干下方傾斜した断熱箱体として構成される(図３参照)。すなわち、天板１１の横幅寸法(長手方向の寸法)と略同一長さで形成された外箱１４と、該外箱１４の内部に所要の空間を設けて配設される内箱１６と、外箱１４と内箱１６との間の空間部に充填された発泡ポリウレタン樹脂等の断熱材１８とによって、当該ショーケース１２の本体２０が構成されている。なお、ショーケース１２の前後寸法は、天板１１の前後寸法の略１／２に設定される。
【０００８】
前記ケース本体２０の上部には、例えばガラス等の透明部材からなる複数(実施例では４枚であるがこの数に限らない)のスライド扉２２が、該本体２０の長手方向に沿って摺動可能に配設され、前記内箱１６内に画成されている前記収容部１２ａの上面開口部１２ｂを、該スライド扉２２により開閉し得るよう構成される。なお、各スライド扉２２は、図２に示す如く、その前後の各端部が下方に向けて円弧状に曲折形成されており、この折曲端部が前記ケース本体２０の前後上端縁部に対してスライド可能に載置されるようになっている。また外箱１４における長手方向の両端部(両側面)には、図４に示すように、その前後の各端部に近接する上部位置に、後述するサイドカバー２４を接続するためのネジ孔１４ａが夫々形成されている。更に、前記天板１１の長手方向両端部(両側面)の所要位置に、同じくサイドカバー２４を接続するための複数のネジ孔１１ａが形成してある(図２参照)。
【０００９】
前記ケース本体２０を構成する前記外箱１４の両側面には、図３および図４に示すように、サイドカバー２４,２４が当接配置される。各サイドカバー２４は、その前後の長さ寸法が、外箱１４の前後方向の長さ寸法と略同一に設定されると共に、その高さ寸法が、該外箱１４の高さ寸法よりも所要長さだけ長い寸法に設定された板状部材であって、図２に示すように、その上部側の形状が、ケース本体２０に載置された前記スライド扉２２と略同一に成形されている。またサイドカバー２４の外周縁には、その後面部から上端部および前面側の一部に亘る部位に、外箱側に向けて所要長さで延出する掛止縁部２６が成形されており、該掛止縁部２６がケース本体２０の側部の前後および上部を被覆するよう構成される。なおサイドカバー２４には、前記外箱１４の側面に形成した各ネジ孔１４ａと対応する部位に、締結部材としての第１ネジ２７ａが挿通される第１通孔２４ａが穿設されている。そして、サイドカバー２４を外箱１４の側面に当接した状態で、各第１通孔２４ａに挿通した第１ネジ２７ａを対応するネジ孔１４ａに螺挿することにより、該サイドカバー２４が外箱１４、すなわちカバー本体２０に接続固定されるようになっている。
【００１０】
前記サイドカバー２４は、図７に示す如く、前記ケース本体２０に接続固定した状態で、その上部が、該本体２０の上面から前記スライド扉２２の側部を覆い得る高さだけ延出し、この延出部分の内側にブラケット２８を介して断熱部材３８が配設されている。このブラケット２８は、図４および図６に示す如く、その本体部３０の前後方向両端部が、サイドカバー２４の対応する前後端部形状に沿うよう所要曲率の円弧状に成形されると共に、該本体部３０の上端部には、サイドカバー側に折曲された上部フランジ３２が成形され、また下端部には、ケース本体側に折曲された下部フランジ３４が成形されている。
【００１１】
前記上部フランジ３２は、本体部３０の上端縁部が延在する所定範囲に亘って所要幅の断面鉤型に折曲されており、その前後方向中央部には、該上部フランジ３２における鉤型の折曲部位より僅かに本体部側で同じく断面鉤型に折曲された掛止片３６が形成されている。この掛止片３６にネジ孔３６ａが形成されると共に、前記サイドカバー２４の該ネジ孔３６ａと対応する位置に第２通孔２４ｂが穿設されており、該第２通孔２４ｂに挿通した締結部材としての第２ネジ２７ｂを対応するネジ孔３６ａに螺挿することにより、該サイドカバー２４にブラケット２８が取付けられるようになっている。
【００１２】
前記下部フランジ３４には、その前後方向の中央部および両端部近傍に通孔３４ａが夫々穿設されると共に、前記ケース本体２０の長手方向両端部上面における各通孔３４ａと対応する位置にネジ孔１４ｂが夫々形成され、各通孔３４ａに挿通した締結部材としてのネジ４０を対応するネジ孔１４ｂに螺挿することにより、ブラケット２８がケース本体２０に取付けられるよう構成される(図７参照)。前記断熱部材３８は、図７に示す如く、サイドカバー２４、ブラケット２８およびケース本体２０で画成される空間を充填する寸法および形状に成形されており、前記第２ネジ２７ｂを介してサイドカバー２４およびブラケット２８に取付けられている。なお、断熱部材３８は、例えば発泡ポリプロピレンを材質としている。またブラケット２８とケース本体２０とは、リベット等を介して取付けるようにしてもよい。
【００１３】
前記サイドカバー２４は、前記ケース本体２０に接続固定した状態で、その下部が、前記天板１１の上面から所定長さだけ下方に延出し、この延出部(接続手段)４１に、天板１１に形成された前記各ネジ孔１１ａと対応する位置に第３通孔２４ｃが夫々穿設されている。そして、各第３通孔２４ｃに挿通した締結部材としての第３ネジ２７ｃを対応するネジ孔１１ａに螺挿することにより、サイドカバー２４が冷蔵庫本体１３に接続固定される。なお、天板１１の長手方向両端部は、冷蔵庫本体１３の長手方向両端部より延出部４１の厚み寸法だけ内側に凹んでおり、サイドカバー２４の外側面と冷蔵庫本体１３の外側面とが同一面内に位置して凸部が生じないよう構成してある(図７参照)。
【００１４】
また、前記サイドカバー２４の後部側に形成された前記掛止縁部２６は、前記延出部４１の下端まで延在しており、該掛止延部２６における延出部４１と対応する位置決め片２６ａ(図５参照)が、前記天板１１の後端部に当接して冷蔵庫本体１３に対するサイドカバー２４の位置決めを行なうべく機能するようになっている。なお、前記ケース本体２０と天板１１およびケース本体２０とサイドカバー２４との夫々の継ぎ目位置には、例えばシリコン等からなるコーキング材４６(図２に一部のみ示す)が施されている。
【００１５】
【実施例の作用】
次に、前述した実施例に係る冷蔵庫の作用につき説明する。前記冷蔵庫本体１３にショーケース１２を設置するのに先立ち、前記断熱部材３８を介在させた状態で支持固定した一対のブラケット２８,２８を、ショーケース１２における前記ケース本体２０の長手方向両端部の上面にネジ４０を介して夫々配設固定する。そして、このケース本体２０を、冷蔵庫本体１３における前記天板１１の上面後側に位置決め載置する。このとき、ケース本体２０の長手方向の両端を天板１１の長手方向の両端に整列位置すると共に、該ケース本体２０の後端を天板１１の後端に整列位置させる。
【００１６】
次に、前記各サイドカバー２４の内面をケース本体２０の側面に当接すると共に、前記掛止縁部２６を該ケース本体２０の前後面およびブラケット２８の上面に当接することで位置決めする。この状態で、サイドカバー２４に穿設した前記各第１通孔２４ａに挿通した第１ネジ２７ａをケース本体２０の対応するネジ孔１４ａに螺挿することで、該サイドカバー２４がケース本体２０に取付けられる。またサイドカバー２４に穿設した前記第２通孔２４ｂに挿通した第２ネジ２７ｂを前記ブラケット２８のネジ孔３６ａに螺挿することで、該サイドカバー２４にブラケット２８を介して断熱部材３８が取付けられる。
【００１７】
すなわち、前記サイドカバー２４にブラケット２８を介して取付けられる断熱部材３８は、図７に示すように、前記ケース本体２０に配設されるスライド扉２２の側部開口を覆い、冷気漏れおよび外部からの熱の侵入を抑制し、ショーケース１２における収容部１２ａ内の冷却温度を保持し得るようになっている。
【００１８】
また、前述したようにケース本体２０に取付けられた各サイドカバー２４では、図２および図７に示す如く、前記延出部４１が天板１１の上面より下方に延出して該天板１１の側面に当接すると共に、前記位置決め片２６ａが同じく天板１１の上面より下方に延出して該天板１１の後端部に当接する。これにより、冷蔵庫本体１３に対してショーケース１２のケース本体２０は正確に位置決めされる。この状態で、サイドカバー２４に穿設した前記各第３通孔２４ｃに挿通した第３ネジ２７ｃを天板１１の対応するネジ孔１１ａに螺挿することで、該サイドカバー２４が天板１１に接続固定される。すなわち、ショーケース１２のケース本体２０は、一対のサイドカバー２４,２４を介して冷蔵庫本体１３に強固に接続固定される。
【００１９】
前述したように、ショーケース１２は一対のサイドカバー２４,２４を介して冷蔵庫本体１３に強固に接続固定されるから、移動時や地震等に際して冷蔵庫本体１３が振動した場合においても、該冷蔵庫本体１３に対するショーケース１２のズレを好適に防止することができる。従って、前記コーキング材４６の破損等を回避でき、ショーケース１２と天板１１との僅かな間隙に水等が浸入するのを防止でき、この部位に腐食を発生させることなく耐久性を向上し得ると共に、雑菌等が繁殖するのも防止でき、衛生面での向上が図れる。また、前記断熱部材３８を被覆するサイドカバー２４を冷蔵庫本体１３の接続用に兼用するから、部品点数を低減し得ると共にコストを低廉に抑えることができる。更に、実施例のようにサイドカバー２４に接続手段としての延出部４１を一体に形成した場合は、外方に突出する部分はなく、清掃が容易で常に衛生的に保つことができる。
【００２０】
また、サイドカバー２４の延出部４１および位置決め片２６ａにより、ショーケース１２の冷蔵庫本体１３に対する位置決めを行ない得るから、両者１２,１３の組立てが容易となる。例えば、実施例ではケース本体２０を冷蔵庫本体１３に載置した状態でサイドカバー２４を取付ける場合で説明したが、ケース本体２０にサイドカバー２４,２４を予め取付けておけば、冷蔵庫本体１３に対するショーケース１２の位置決めが簡単に行ない得る。
【００２１】
図８は、別実施例に係る冷蔵庫を示すものであって、前記ショーケース１２と冷蔵庫本体１３とを接続手段としての接続部材４２を介して接続するようにしたものである。すなわちこの場合のショーケース１２では、前記サイドカバー２４の下端は天板１１の上面と同一レベルに設定されると共に、その下部には、前後に離間して複数のネジ孔４８が形成されている。なお、前記ケース本体２０の外面にも、各ネジ孔４８と対応する位置にネジ孔(図示)が形成される。これに対して接続部材４２は、ケース本体２０の下部における前後長さ寸法と略同一の長さ寸法に設定された接続部４２ａと、該接続部４２ａの後端に直角に折曲形成された位置決め片４２ｂとから構成され、接続部４２ａには、前記サイドカバー２４および天板１１の各ネジ孔４８,１１ａと対応する位置に通孔４２ｃが夫々穿設されている。そして、各通孔４２ｃを対応する各ネジ孔４８,１１ａに整列させた状態で、該接続部材４２をサイドカバー２４と天板１１とに跨るように当接配置し、各通孔４２ｃに挿通した締着部材としてのネジ４４を対応するネジ孔４８,１１ａに螺挿することで、ショーケース１２は冷蔵庫本体１３に接続固定される。
【００２２】
すなわち、サイドカバー２４の下端部に取付けられて下方に延出する接続部材４２を介してショーケース１２を冷蔵庫本体１３に接続固定することで、両者１２,１３の固定強度は向上し、振動等によるズレの発生を抑制し得る。またサイドカバー２４に接続部材４２を取付けた状態で、該接続部材４２のサイドカバー後端部側に位置する位置決め片４２ｃが、前記天板１１の後端部に当接するよう構成されており、両者１２,１３の位置決めも容易に行なわれる。
【００２４】
【発明の効果】
以上説明した如く、本発明に係る冷蔵庫では、ショーケースを一対のサイドカバーにより冷蔵庫本体に強固に接続するよう構成したから、移動時や地震等に際して該冷蔵庫本体が振動した場合においても、冷蔵庫本体に対するショーケースのズレを好適に防止することができる。従って、ショーケースと冷蔵庫本体との継ぎ目等に施されるコーキング材の破損等を回避でき、ショーケースと冷蔵庫本体との僅かな間隙に水等が浸入するのを防止でき、この部位に腐食を発生させることなく耐久性を向上し得ると共に、雑菌等が繁殖するのも防止でき、衛生面での向上が図れる。また、ショーケースのサイドカバーを冷蔵庫本体の接続用に兼用することで、部品点数を低減し得ると共にコストを低廉に抑えることができる。
【００２５】
【発明の効果】
前記サイドカバーの後端部に、前記冷蔵庫本体の後端部に当接する位置決め片を設けたので、ショーケースの冷蔵庫本体に対する位置決めが容易となり、組立てに要する時間を短縮し得る。なお、サイドカバーに接続手段としての延出部を一体に形成した場合は、外方に突出する部分を無くすことができ、清掃が容易で常に衛生的に保つことができる。また、サイドカバーにブラケットを介して取付けられる断熱部材は、スライド扉の側部開口を覆うので、冷気漏れおよび外部からの熱の侵入を抑制し、ショーケース内の冷却温度を保持し得る。更に、断熱部材を被覆するサイドカバーを冷蔵庫本体の接続用に兼用するから、部品点数を低減し得ると共にコストを低廉に抑えることができる。
【図面の簡単な説明】
【図１】  本発明の好適な実施例に係る冷蔵庫を示す要部斜視図である。
【図２】  実施例に係る冷蔵庫をショーケースのみを縦断して示す要部側面図である。
【図３】  実施例に係るショーケースを示す分解斜視図である。
【図４】  実施例に係るケース本体、断熱部材、ブラケットおよびサイドカバーを示す要部斜視図である。
【図５】  実施例に係るサイドカバーを示す側面図および正面図である。
【図６】  実施例に係るブラケットを示す側面図および平面図である。
【図７】  実施例に係るショーケースと冷蔵庫本体との接続部を示す要部縦断正面図である。
【図８】  別実施例に係る冷蔵庫を示す要部斜視図である。
【符号の説明】
１１ 天板，１２ ショーケース，１３ 冷蔵庫本体，１４ 外箱，１６ 内箱
１８ 断熱材，２０ ケース本体，２２ スライド扉，２４ サイドカバー
２６ 掛止縁部，２６ａ 位置決め片，２８ ブラケット，３８ 断熱部材
４１ 延出部(接続手段)，４２ 接続部材(接続手段)，４２ｂ 位置決め片
【図１】
0004201486.tif 000002
【図２】
0004201486.tif 000003
【図３】
0004201486.tif 000004
【図４】
0004201486.tif 000005
【図５】
0004201486.tif 000006
【図６】
0004201486.tif 000007
【図７】
0004201486.tif 000008
【図８】
0004201486.tif 000009